(57)【要約】【課題】別途の特別な手順等を不要としつつ、ＩＣカード内のデータ等を外部の装置において取得できると共に、ＩＣカード自体の構成の簡略化及び低コスト化を図ることが可能な情報処理装置を提供する。【解決手段】リーダ／ライタＲＷから無線により更新用データを受信し、更新用データを受信した受信タイミングから既定の閾値時間が経過する前に、受信した更新用データを用いた処理を行って表示用データを生成し、上記受信タイミングから閾値時間が経過する前に、表示用データを無線により表示端末ＤＰに送信する。【選択図】図１
2014132423.tif 000002
【特許請求の範囲】
【請求項１】
第１の外部装置から無線により第１の情報を受信する受信手段と、
前記第１の情報を受信した受信タイミングから予め設定された閾値時間が経過する前に、前記受信した第１の情報を用いた情報処理を行って第２の情報を生成する処理手段と、
前記受信タイミングから前記閾値時間が経過する前に、前記第２の情報を無線により第２の外部装置に送信する送信手段と、
を備えることを特徴とする情報処理装置。
【請求項２】
請求項１に記載の情報処理装置において、
前記送信手段は、前記第１の情報の受信に用いられた周波数とは異なる周波数により前記第２の情報を前記第２の外部装置に送信することを特徴とする情報処理装置。
【請求項３】
請求項１又は請求項２に記載の情報処理装置において、
前記受信手段、前記処理手段及び前記送信手段を駆動する電力を前記第１の外部装置から無線により取得して、当該受信手段、当該処理手段及び当該送信手段に供給する電力取得供給手段を更に備え、
前記閾値時間は、前記電力取得供給手段が前記第１の外部装置から前記電力を受信するために必要な時間以下の時間であることを特徴とする情報処理装置。
【請求項４】
請求項３に記載の情報処理装置において、
携帯型のカード状の筐体内に前記受信手段、前記処理手段、前記送信手段及び前記電力取得供給手段が封入されていることを特徴とする情報処理装置。
【請求項５】
請求項１から請求項４のいずれか一項に記載の情報処理装置において、
前記生成された第２の情報を暗号化して前記送信手段に出力する暗号化手段を更に備え、
当該送信手段は、当該暗号化された第２の情報を前記第２の外部装置に送信することを特徴とする情報処理装置。
【請求項６】
請求項１から請求項５のいずれか一項に記載の情報処理装置において、
当該情報処理装置は携帯型のＩＣ（Integrated Circuit）カードであり、
前記第１の外部装置は前記ＩＣカードへの前記第１の情報の送信を行うリーダ／ライタであり、
前記第２の情報は前記第２の外部装置において表示されるべき表示情報であり、
前記第２の外部装置は前記送信された表示情報を表示する表示装置であることを特徴とする情報処理装置。
【請求項７】
請求項１から請求項６のいずれか一項に記載の情報処理装置において、
前記第２の外部装置への前記第２の情報の送信結果を前記第１の外部装置に送信して告知させる第２送信手段を更に備えることを特徴とする情報処理装置。
【請求項８】
第１の外部装置及び第２の外部装置と接続される情報処理装置に含まれるコンピュータを、
前記第１の外部装置から無線により第１の情報を受信する受信手段、
前記第１の情報を受信した受信タイミングから予め設定された閾値時間が経過する前に、前記受信した第１の情報を用いた情報処理を行って第２の情報を生成する処理手段及び、
前記受信タイミングから前記閾値時間が経過する前に、前記第２の情報を無線により第２の外部装置に送信する送信手段、
として機能させることを特徴とする情報処理プログラム。
【請求項９】
請求項１から請求項７のいずれか一項に記載の情報処理装置と、
前記第２の外部装置と、
を備えることを特徴とする情報処理システム。
【請求項１０】
第１の外部装置から無線により第１の情報を受信する受信工程と、
前記第１の情報を受信した受信タイミングから予め設定された閾値時間が経過する前に、前記受信した第１の情報を用いた情報処理を行って第２の情報を生成する処理工程と、
前記受信タイミングから前記閾値時間が経過する前に、前記第２の情報を無線により第２の外部装置に送信する送信工程と、
を含むことを特徴とする情報処理方法。
【発明の詳細な説明】
【技術分野】
【０００１】
本発明は、情報処理装置、情報処理システム、情報処理方法及び情報処理プログラムの技術分野に属する。より詳細には、外部との間で情報の授受を行う情報処理装置、情報処理システム及び情報処理方法並びに当該情報処理用のプログラムの技術分野に属する。
【背景技術】
【０００２】
近年、非接触型のＩＣ（Integrated Circuit）カードを用いて電子的に、即ちキャッシュレスで物品購入や必要な交通費の支払い等を行うことが広く一般化している。より具体的には、例えば公共交通機関利用時の料金の収受やその清算時、或いは店舗における物品購入時等に非接触型のＩＣカードを用いる場面が良く見られる。
【０００３】
ここで、例えば当該ＩＣカードを用いて物品代金や交通費を支払った後、そのＩＣカードにいわゆる電子マネーとしての残高がいくら記録されているかを確認したい場合がある。そしてこのような場合には、例えば当該ＩＣカード自体に残高の表示部を設けたり、或いはＩＣカードに対応したいわゆるリーダ／ライタにそのＩＣカードを翳して残高を読み出したりする必要があった。このとき、これらについての従来技術には、例えば下記特許文献１乃至特許文献３に記載されているものがあった。
【先行技術文献】
【特許文献】
【０００４】
【特許文献１】特開２００４−０２１２８８号公報
【特許文献２】特開２００４−１９２３１４号公報
【特許文献３】特開２００７−３２３５１３号公報
【発明の概要】
【発明が解決しようとする課題】
【０００５】
しかしながら、上述した各特許文献に記載の発明の構成によると、例えばＩＣカード自体に表示部を設けて残高等を確認する場合には、ＩＣカード自体の製造コストや消費電力、或いはその耐久性の面といった問題点がある。
【０００６】
また近年、上記ＩＣカードとの間で無線通信が可能な携帯型の無線電話機を用いて、ＩＣカード内の上記残高等のデータを読み出して表示することが行われている。しかしながらこの技術の場合でも、ＩＣカードをその無線電話機に翳すといった、そのためだけの動作（手間）が必要となるという問題点がある。更には、データの読み取り時に無線電話機をＩＣカードに近接させる必要があることから、ＩＣカードに設けられた磁気データ等が無線電話機のスピーカ等の磁石で破壊される恐れがあるといった問題点もあった。
【０００７】
そこで、本発明は上記の各問題点に鑑みて為されたもので、その課題の一例は、別途の特別な手順等を不要としつつ、ＩＣカード内のデータ等を外部の装置において取得できると共に、ＩＣカード自体の構成の簡略化及び低コスト化を図ることが可能な情報処理装置、情報処理システム及び情報処理方法並びに当該情報処理用のプログラムを提供することにある。
【課題を解決するための手段】
【０００８】
上記の課題を解決するために、請求項１に記載の発明は、リーダ／ライタ等の第１の外部装置から無線により第１の情報を受信する第１送受信部及びアンテナ等の受信手段と、前記第１の情報を受信した受信タイミングから予め設定された閾値時間が経過する前に、前記受信した第１の情報を用いた情報処理を行って第２の情報を生成する制御部等の処理手段と、前記受信タイミングから前記閾値時間が経過する前に、前記第２の情報を無線により表示端末等の第２の外部装置に送信する第２送受信部及びアンテナ等の送信手段と、を備える。
【０００９】
上記の課題を解決するために、請求項８に記載の発明は、リーダ／ライタ等の第１の外部装置及び表示端末等の第２の外部装置と接続される情報処理装置に含まれるコンピュータを、前記第１の外部装置から無線により第１の情報を受信する受信手段、前記第１の情報を受信した受信タイミングから予め設定された閾値時間が経過する前に、前記受信した第１の情報を用いた情報処理を行って第２の情報を生成する処理手段及び、前記受信タイミングから前記閾値時間が経過する前に、前記第２の情報を無線により第２の外部装置に送信する送信手段、として機能させる。
【００１０】
上記の課題を解決するために、請求項９に記載の発明は、請求項１から請求項７のいずれか一項に記載の情報処理装置と、前記第１の外部装置と、前記第２の外部装置と、を備える。
【００１１】
上記の課題を解決するために、請求項１０に記載の発明は、リーダ／ライタ等の第１の外部装置から無線により第１の情報を受信する受信工程と、前記第１の情報を受信した受信タイミングから予め設定された閾値時間が経過する前に、前記受信した第１の情報を用いた情報処理を行って第２の情報を生成する処理工程と、前記受信タイミングから前記閾値時間が経過する前に、前記第２の情報を無線により表示端末等の第２の外部装置に送信する送信工程と、を含む。
【００１２】
請求項１、請求項８から請求項１０のいずれか一項に記載の発明の作用によれば、無線により受信した第１の情報を用いた情報処理により得られた第２の情報を、第１の情報の受信タイミングから閾値時間内に第２の外部装置に送信するので、別途の特別な手順や操作等を不要としつつ、第１の情報に対応した第２の情報を閾値時間内に第２の外部装置において取得することができる。また、第２の情報を例えば告知するための構成を情報処理装置自体に備える必要がないため、情報処理装置の構成の簡略化及び低コスト化を図ることができる。
【００１３】
上記の課題を解決するために、請求項２に記載の発明は、請求項１に記載の情報処理装置において、前記送信手段は、前記第１の情報の受信に用いられた周波数とは異なる周波数により前記第２の情報を前記第２の外部装置に送信するように構成される。
【００１４】
請求項２に記載の発明によれば、請求項１に記載の発明の作用に加えて、第１の情報の受信に用いられた周波数とは異なる周波数により第２の情報を第２の外部装置に送信するので、複雑な構成とすることなく、第１の情報から明確に区別して第２の情報を第２の外部装置に送信することができる。
【００１５】
上記の課題を解決するために、請求項３に記載の発明は、請求項１又は請求項２に記載の情報処理装置において、前記受信手段、前記処理手段及び前記送信手段を駆動する電力を前記第１の外部装置から無線により取得して、当該受信手段、当該処理手段及び当該送信手段に供給する第１送受信部及びアンテナ等の電力取得供給手段を更に備え、前記閾値時間は、前記電力取得供給手段が前記第１の外部装置から前記電力を受信するために必要な時間以下の時間であるように構成される。
【００１６】
請求項３に記載の発明によれば、請求項１又は請求項２に記載の発明の作用に加えて、受信手段、処理手段及び送信手段を駆動する電力を第１の外部装置から無線により取得し、更に閾値時間が、第１の外部装置から電力を受信するために必要な時間以下の時間とされる。よって、情報処理装置内に例えば電池等の電源を設ける必要がなく、低コスト化及び廃棄時の安全性の問題等が起きることがない。
【００１７】
上記の課題を解決するために、請求項４に記載の発明は、請求項３に記載の情報処理装置において、携帯型のカード状の筐体内に前記受信手段、前記処理手段、前記送信手段及び前記電力取得供給手段が封入されている。
【００１８】
請求項４に記載の発明によれば、請求項３に記載の発明の作用に加えて、携帯型のカード状の筐体内に受信手段、処理手段、送信手段及び電力取得供給手段が封入されているので、携帯可能な情報記録装置において第２の情報の生成及び送信等の処理を行うことができる。
【００１９】
上記の課題を解決するために、請求項５に記載の発明は、請求項１から請求項４のいずれか一項に記載の情報処理装置において、前記生成された第２の情報を暗号化して前記送信手段に出力する制御部等の暗号化手段を更に備え、当該送信手段は、当該暗号化された第２の情報を前記第２の外部装置に送信するように構成される。
【００２０】
請求項５に記載の発明によれば、請求項１から請求項４のいずれか一項に記載の発明の作用に加えて、第２の情報を暗号化して第２の外部装置に送信するので、第２の情報が意図せず漏洩すること防止できる。
【００２１】
上記の課題を解決するために、請求項６に記載の発明は、請求項１から請求項５のいずれか一項に記載の情報処理装置において、当該情報処理装置は携帯型のＩＣカードであり、前記第１の外部装置は前記ＩＣカードへの前記第１の情報の送信を行うリーダ／ライタであり、前記第２の情報は前記第２の外部装置において表示されるべき表示情報であり、前記第２の外部装置は前記送信された表示情報を表示する表示装置であるように構成される。
【００２２】
請求項６に記載の発明によれば、請求項１から請求項５のいずれか一項に記載の発明の作用に加えて、情報処理装置が携帯型のＩＣカードであり、第１の外部装置がリーダ／ライタであり、第２の情報が第２の外部装置において表示されるべき表示情報であり、第２の外部装置が送信された表示情報を表示する表示装置とされる。よって、ＩＣカード内での情報処理により生成される第２の情報の内容を、外部の表示装置において即時に確認することができる。
【００２３】
上記の課題を解決するために、請求項７に記載の発明は、請求項１から請求項６のいずれか一項に記載の情報処理装置において、前記第２の外部装置への前記第２の情報の送信結果を前記第１の外部装置に送信して告知させる第１送受信部及びアンテナ等の第２送信手段を更に備える。
【００２４】
請求項７に記載の発明によれば、請求項１から請求項６のいずれか一項に記載の発明の作用に加えて、第２の外部装置への第２の情報の送信結果を第１の外部装置に送信して告知させるので、情報処理装置自体に告知手段を備えることなく、第２の情報の送信結果を迅速に告知することができる。
【発明の効果】
【００２５】
本発明によれば、無線により受信した第１の情報を用いた情報処理後の第２の情報を、第１の情報の受信タイミングから閾値時間内に第２の外部装置に送信するので、別途の特別な手順等を不要としつつ、第１の情報に対応した第２の情報を閾値時間内に第２の外部装置において取得することができる。また、第２の情報を例えば告知するための構成を情報処理装置自体に備える必要がないため、情報処理装置の構成の簡略化及び低コスト化を図ることができる。
【図面の簡単な説明】
【００２６】
【図１】実施形態に係る情報処理システムの概要構成を示す図である。
【図２】実施形態に係る情報処理システムの細部構成を示すブロック図である。
【図３】実施形態に係る情報処理システムにおける処理を示すフローチャートであり、（ａ）は実施形態に係る認証処理を示すフローチャートであり、（ｂ）は実施形態に係る表示処理を示すフローチャートである。
【図４】実施形態に係る表示処理における表示例をそれぞれ示す図であり、（ａ）は第１例を示す図であり、（ｂ）は第２例を示す図であり、（ｃ）は第３例を示す図である。
【発明を実施するための形態】
【００２７】
次に、本発明を実施するための形態について、図１乃至図４を用いて説明する。なお以下に説明する実施形態は、例えばＮＦＣ（Near Field Communication）規格に準拠した近距離データ通信が可能なＩＣカードに記録されている情報を告知して使用者に認識させるための情報処理システムに対して本発明を適用した場合の実施の形態である。ここで上記ＮＦＣ規格は、国際標準であるISO(International Organization for Standardization)/IEC(International Electrotechnical Commission) IS（International Standard） 18092及びISO/IEC 21481等として規格化されているものである。
【００２８】
また、図１は実施形態に係る情報処理システムの概要構成を示す図であり、図２は当該情報処理システムの細部構成を示すブロック図である。更に図３は当該情報処理システムにおける処理を示すフローチャートであり、図４は実施形態に係る表示処理における表示例をそれぞれ示す図である。
【００２９】
図１に示すように、実施形態に係る情報処理システムＳは、上記ＮＦＣ規格に準拠したＩＣカードＣと、例えば駅の自動改札口やコンビニエンスストアの支払い口に設置されたリーダ／ライタＲＷと、ＩＣカードＣと無線により接続され当該ＩＣカードＣ内に記録されている情報を表示する表示端末ＤＰと、により構成されている。このとき、表示端末ＤＰとして具体的には、例えば多機能携帯電話（いわゆるスマートフォン）、専用の表示端末、ＰＤＡ（Personal Digital Assistance）又はディスプレイを備える携帯型の音楽プレーヤ等が該当する。
【００３０】
そしてＩＣカードＣの構成として具体的には、図２に示すように、制御部２１と、リーダ／ライタＲＷとの間で上記ＮＦＣ規格に準拠したデータの授受を無線により行うアンテナＡＴ１及び第１送受信部２０と、例えばいわゆる無線ＬＡＮ（Local Area Network）の規格に準拠して表示端末ＤＰとの間のデータの授受を無線により行うアンテナＡＴ２及び第２送受信部２２と、ＩＣカードＣとしての実施形態に係る処理を実行するために必要なデータを不揮発性に記憶するメモリ部２３と、により構成されている。
【００３１】
一方、リーダ／ライタＲＷの構成として具体的には、図２に示すように、制御部１１と、ＩＣカードＣとの間で上記ＮＦＣ規格に準拠したデータの授受を無線により行うアンテナＴＰ及び送受信部１０と、リーダ／ライタＲＷとしての実施形態に係る処理を実行するために必要なデータを不揮発性に記憶するメモリ部１２と、により構成されている。更に表示端末ＤＰの構成として具体的には、図２に示すように、制御部３１と、ＩＣカードＣとの間で上記無線ＬＡＮの規格に準拠したデータの授受を無線により行うアンテナＡＴ及び送受信部３０と、表示端末ＤＰとしての実施形態に係る処理を実行するために必要なデータを揮発性又は不揮発性に記憶するメモリ部３２と、表示端末ＤＰに対する使用者による必要な操作が実行されるキーボード及びマウス等からなる操作部３３と、表示端末ＤＰとしての実施形態に係る処理の結果が表示される液晶ディスプレイ等からなる表示部Ｄと、により構成されている。なお、リーダ／ライタＲＷの上記動作のために必要な電力は、図示しないリーダ／ライタＲＷ用の電源部から必要に応じて供給される。また同様に表示端末ＤＰの上記動作のために必要な電力も、図示しない表示端末ＤＰ用の電源部から必要に応じて供給される。また、リーダ／ライタＲＷとＩＣカードＣとの間のデータの授受に用いられる上記ＮＦＣ規格による無線の周波数は例えば１３．５６メガヘルツであり、一方表示端末ＤＰとＩＣカードＣとの間のデータの授受に用いられる上記無線ＬＡＮの規格による無線の周波数は例えば２ギガヘルツ帯又は５ギガヘルツ帯であり、両者は異なっている。
【００３２】
このとき、リーダ／ライタＲＷが本発明に係る「第１の外部装置」の一例に相当し、表示端末ＤＰが本発明に係る「第２の外部装置」の一例に相当する。また、第１送受信部２０及びアンテナＡＴ１が本発明に係る「受信手段」の一例、「電力取得供給手段」の一例及び「第２送信手段」の一例にそれぞれ相当し、制御部２１が本発明に係る「処理手段」の一例及び「暗号化手段」の一例に相当する。更に第２送受信部２２及びアンテナＡＴ２が本発明に係る「送信手段」の一例に相当する。
【００３３】
以上の構成において、ＩＣカードＣとリーダ／ライタＲＷは、例えばリーダ／ライタＲＷが設置されている自動改札機や支払い口における例えば代金や料金のデータの授受を上記ＮＦＣ規格に準拠した無線により行う。より具体的には、例えば自動改札機に設置されているリーダ／ライタＲＷのアンテナＴＰに対してＩＣカードＣが翳されることにより、当該自動改札機を通過する際に必要な交通費を示すデータの授受が、リーダ／ライタＲＷとＩＣカードＣとの間で無線により行われる。これにより例えば、ＩＣカードＣのメモリ部２３に不揮発的に記憶されている残高を示すデータが、ＩＣカードＣの制御部２１により更新される。なおこのとき、リーダ／ライタＲＷとＩＣカードＣとの間のデータの授受、及び当該データの授受の結果としてのメモリ部２３の記憶内容の制御部２１による更新のためにＩＣカードＣの制御部２１及び第１送受信部２０並びにメモリ部２３にそれぞれ供給する必要がある電力は、ＩＣカードＣのアンテナＡＴ１をリーダ／ライタＲＷのアンテナＴＰに翳すことにより、いわゆる電磁誘導の原理に基づいてアンテナＡＴ１に誘起される電力により賄われる。
【００３４】
一方、ＩＣカードＣと表示端末ＤＰは、ＩＣカードＣにおいて更新されたメモリ部２３の記憶内容のデータの授受を、上記無線ＬＡＮの規格に準拠した無線により行う。これによりメモリ部２３の記憶内容のデータが表示端末ＤＰに伝送され、メモリ部３２に一時的に記憶され、その後表示端末ＤＰのディスプレイＤに表示される。
【００３５】
なおこのとき、メモリ部２３からの更新されたデータの制御部２１による読み出し及びＩＣカードＣと表示端末ＤＰとの間のデータの授受のために、ＩＣカードＣのメモリ部２３及び制御部２１並びに第２送受信部２２に供給する必要がある電力は、上記電磁誘導の原理に基づいてアンテナＡＴ１に誘起される電力により賄われる。換言すれば、上述したリーダ／ライタＲＷとＩＣカードＣとの間のデータの授受及びメモリ部２３の記憶内容の更新、並びにその後のメモリ部２３からの当該更新されたデータの読み出し及びＩＣカードＣと表示端末ＤＰとの間のデータの授受は、ＩＣカードＣをリーダ／ライタＲＷのアンテナＴＰに翳すことによりＩＣカードＣに電力が供給されている例えば１秒程度の間に、全て完了される。この、ＩＣカードＣをリーダ／ライタＲＷのアンテナＴＰに翳すことによりＩＣカードＣに電力が供給されている期間が、本発明に係る「閾値時間」の一例に相当する。
【００３６】
以上の実施形態に係るＩＣカードＣ等の動作及びそのための電力供給の態様により、結果として、リーダ／ライタＲＷにＩＣカードＣを翳すことにより更新されたメモリ部２３の記憶内容が、その更新直後の当該ＩＣカードＣが翳されている間に表示端末ＤＰに伝送されてメモリ部３２に記憶される。そして、その後の所定のタイミング又は操作部３３における操作により、メモリ部３２の記憶内容がディスプレイＤに表示されることになる。
【００３７】
次に、上記制御部１１、制御部２１及び制御部３１を中心として実行される、実施形態に係る情報処理システムＳの処理について、より具体的に図３及び図４を用いて説明する。
【００３８】
当該情報処理システムＳの処理においては、始めに、実施形態に係るＩＣカードＣと表示端末ＤＰとを関連付ける認証処理が実行される。即ち図３（ａ）に示すように、先ずＩＣカードＣの制御部２１は、例えば使用者の手元にあるリーダ／ライタＲＷにＩＣカードＣが翳されることにより電力を得（ステップＳ１）、これにより表示端末ＤＰのとの間での無線ＬＡＮの規格に準拠した通信を開始する（ステップＳ２、ステップＳ１０）。次に、制御部２１及び表示端末ＤＰの制御部３１は、開始された通信において必要な認証データの授受を行い（ステップＳ３、ステップＳ１１）、その授受された認証データをＩＣカードＣのメモリ部２３及び表示端末ＤＰのメモリ部３２にそれぞれ不揮発性に記憶させる（ステップＳ４、ステップＳ１２）。これらの認証処理により、以降は、互いに認証されたＩＣカードＣと表示端末ＤＰとの間でのみ、上述したデータの授受が実行される。
【００３９】
次に、ＩＣデータＣと表示端末ＤＰとの間で上記認証処理が実行された後の、実施形態に係る情報処理システムＳの処理について、具体的に図３（ｂ）及び図４を用いて説明する。
【００４０】
図３（ｂ）に示すように、ＩＣカードＣの制御部２１は、例えば自動改札機に備えられたリーダ／ライタＲＷにＩＣカードＣが翳されることにより電力を得（ステップＳ２０）、これによりリーダ／ライタＲＷの制御部１１とＩＣカードＣの制御部２１とはＮＦＣ規格に準拠した通信を開始する。そして制御部１１及び制御部２１は、リーダ／ライタＲＷ−ＩＣカードＣ相互間の認証データを授受して必要な認証処理を行った後、メモリ部２３の記憶内容の更新用データ（例えば上記交通費を示すデータ等）を授受する（ステップＳ１５、ステップＳ２１）。次に制御部２１は、ステップＳ２１の処理により受信した上記更新用データを用いてメモリ部２３の記憶内容を更新する（ステップＳ２２）。このステップＳ２２の処理に必要な電力は、上述したように電磁誘導の原理に基づいてアンテナＡＴ１を介してリーダ／ライタＲＷから供給される。
【００４１】
次に制御部２１は、図３（ａ）に示した認証処理により認証された表示端末ＤＰが、無線ＬＡＮの規格に準拠したＩＣカードＣからの電波が届く範囲内に存在しているか否かを確認する（ステップＳ２３、ステップＳ２４）。即ち制御部２１は、上記ステップＳ２２の処理によりメモリ部２３の記憶内容が更新された直後に、認証済みの表示端末ＤＰの存在を確認する問い合わせデータを、アンテナＡＴ２を介して送信する（ステップＳ２３）。この問い合わせデータには、図３（ａ）ステップＳ４の処理により記憶された認証データ（表示端末ＤＰ認証用の認証データ）が含まれている。これにより表示端末ＤＰの制御部３１は、上記問い合わせデータを受信したら（ステップＳ３０）、図３（ａ）ステップＳ１２の処理によりメモリ部３２に記憶されている認証データと当該受信した問い合わせデータに含まれている認証データを比較してそのＩＣカードＣが認証済みのＩＣカードＣか否かを判定し（ステップＳ３１）、認証済みのＩＣカードＣであれば（ステップＳ３１；ＹＥＳ）、その旨を示す結果データをＩＣカードＣに送信する（ステップＳ３２）。一方ステップＳ３１の判定において認証済みのＩＣカードＣでない場合（ステップＳ３１；ＮＯ）、制御部３１は実施形態に係る表示端末ＤＰとしての処理を終了する。
【００４２】
次にＩＣカードＣの制御部２１は、上記ステップＳ２３の処理により問い合わせデータを送信したら、上記ステップＳ３２の処理により結果データが表示端末ＤＰから送信されてきたか否かを判定する（ステップＳ２４）。ステップＳ２４の判定において、例えば所定時間待機しても結果データが送信されてこない場合（ステップＳ２４；ＮＯ）、表示端末ＤＰがアンテナＡＴ２からの電波の到達可能範囲内に存在しないことになるので、その場合に制御部２１は、実施形態に係るＩＣカードＣとしての処理を終了する。一方ステップＳ２４の判定において、結果データが表示端末ＤＰから送信されてきた場合（ステップＳ２４；ＹＥＳ）、制御部２１は次に、上記ステップＳ２２の処理により更新したメモリ部２３の記憶内容を含む表示用データを生成して表示端末ＤＰに送信する（ステップＳ２５）。
【００４３】
次に、表示端末ＤＰの制御部３１は、上記表示用データを受信したら（ステップＳ３３）、受信結果が良好であるか否かを判定する。当該受信結果が良好であった場合、制御部３１はその旨を示す結果データをＩＣカードＣに送信すると共に（ステップＳ３４）、受信した表示用データをメモリ部３２に不揮発性に記憶させる。なお当該受信結果が良好でない場合も、制御部３１はその旨を示す結果データをＩＣカードＣに送信する（ステップＳ３４）。その後制御部３１は、表示用データの受信結果が良好であった場合において、操作部３３により当該受信した表示用データをディスプレイＤに表示する旨の操作が為されたか否かを判定する（ステップＳ３５）。ステップＳ３５の判定において当該操作が為された場合（ステップＳ３５；ＹＥＳ）、制御部３１はその表示用データの内容をディスプレイＤに表示して（ステップＳ３６）、実施形態に係る表示端末ＤＰとしての処理を終了する。なおステップＳ３５の判定において当該表示する旨の操作が為されない場合も（ステップＳ３５；ＮＯ）、制御部３１は実施形態に係る表示端末ＤＰとしての処理を終了する。なお、上記の実施形態では、操作部３３における操作に応じて表示用データの内容を表示する構成としたが、これ以外に、例えば表示用データをＩＣカードＣから受信した以降、所定のタイミングで自動的にその内容をディスプレイＤに表示するように構成することもできる。
【００４４】
一方、ステップＳ２５の処理により表示用データを送信した制御部２１は、上記ステップＳ３４の処理により表示端末ＤＰから送信されてきた結果データに基づいて、表示用データの表示端末ＤＰへの送信が良好に完了したか否かを判定する（ステップＳ２６）。ステップＳ２６の判定において、表示端末ＤＰからの結果データ（ステップＳ３４参照）に基づいて表示端末ＤＰにおける表示用データの受信結果が良好であると判定された場合（ステップＳ２６；ＹＥＳ）、制御部２１はその旨の完了通知をリーダ／ライタＲＷに送信し（ステップＳ２８）、実施形態に係るＩＣカードＣとしての処理を終了する。これに対しステップＳ２６の判定において、表示端末ＤＰからの結果データ（ステップＳ３４参照）に基づいて表示端末ＤＰにおける表示用データの受信結果が良好でないと判定された場合（ステップＳ２６；ＮＯ）、制御部２１はその旨の未完通知をリーダ／ライタＲＷに送信し（ステップＳ２７）、更に上記ステップＳ２５に戻って表示用データを再送信する。その後制御部２１は上記ステップＳ２６の処理に移行する。
【００４５】
他方、リーダ／ライタＲＷの制御部１１は、上記ステップＳ１５の処理の後、上記ステップＳ２８の処理によりＩＣカードＣから送信されてきた完了通知、又は上記ステップＳ２７の処理によりＩＣカードＣから送信されてきた未完通知を受信する（ステップＳ１６）。次に制御部１１は、受信した通知が完了通知であるか未完通知であるかを判定し（ステップＳ１７）、完了通知である場合は（ステップＳ１７；ＹＥＳ）、ＩＣカードＣから表示端末ＤＰへの表示データの送信が無事に完了している旨を例えばリーダ／ライタＲＷ上の表示又は音声等により使用者に告知し（ステップＳ１８）、その後実施形態に係るリーダ／ライタＲＷとしての処理を終了する。一方ステップＳ１７の判定において、未完通知である場合は（ステップＳ１７；ＮＯ）、表示端末ＤＰへの表示データの送信が完了してない旨をリーダ／ライタＲＷ上の表示又は音声等により使用者に告知し（ステップＳ１９）、その後実施形態に係るリーダ／ライタＲＷとしての処理を終了する。
【００４６】
なお上述したように、特に図３（ｂ）に示す処理のうち、ステップＳ３５の処理及びステップＳ３６の処理を除く処理は全て、ＩＣカードＣをリーダ／ライタＲＷのアンテナＴＰに翳すことによりＩＣカードＣにリーダ／ライタＲＷから電力が供給されている間に完了される。
【００４７】
次に、上記ステップＳ３６の処理によりディスプレイＤに表示される情報の例について、図４を用いて説明する。
【００４８】
上述した実施形態に係る情報処理システムＳの処理が実行された場合、例えば図４（ａ）に例示する表示１００のように、異なるＩＣカードＣごとにその残高や履歴の状態を表示用データとしてＩＣカードＣと表示端末ＤＰとの間で授受して、ディスプレイＤに表示させることが可能となる。また例えば図４（ｂ）に例示する表示１０１のように、同一のＩＣカードＣであってもより詳細な利用履歴等を表示用データとしてＩＣカードＣと表示端末ＤＰとの間で授受して、ディスプレイＤに表示させることが可能となる。更に例えば図４（ｃ）に例示する表示１０２のように、少なくとも直前の回の使用履歴を表示用データとしてＩＣカードＣと表示端末ＤＰとの間で授受して、ディスプレイＤに表示させることが可能となる。
【００４９】
以上説明したように、実施形態の情報処理システムＳの処理によれば、リーダ／ライタＲＷからの更新用データを無線により受信し、その受信タイミングから所定の時間が経過する前（即ち、ＩＣカードＣがリーダ／ライタＲＷのアンテナＴＰに翳されている時間内）に、受信した更新用データを用いて更新された表示用データを表示端末ＤＰに無線により送信する。よって、受信した更新用データを用いた更新後の表示用データを、ＩＣカードＣがリーダ／ライタＲＷのアンテナＴＰに翳されている時間内に表示端末ＤＰに送信するので、別途の特別な手順や操作等を不要としつつ、更新用データに対応した表示用データを表示端末ＤＰにおいて取得することができる。また、表示用データを例えば表示するためのディスプレイＤをＩＣカードＣ自体に備える必要がないため、ＩＣカードＣの構成の簡略化及び低コスト化を図ることができる。
【００５０】
更に、更新用データのリーダ／ライタＲＷからの受信に用いられた周波数とは異なる周波数により表示用データを表示端末ＤＰに送信するので、複雑な構成とすることなく、更新用データから明確に区別して表示用データを表示端末ＤＰに送信することができる。
【００５１】
更にまた、ＩＣカードＣの各構成部材を駆動するための電力をリーダ／ライタＲＷから無線により取得し、ＩＣカードＣがリーダ／ライタＲＷのアンテナＴＰに翳されている時間内に必要な処理が完了する。よって、更新用データの受信、受信した更新用データを用いた表示用データの生成及び表示用データの送信をリーダ／ライタＲＷから取得した電力により行うので、ＩＣカードＣ内に例えば電池等の電源を設ける必要がなく、低コスト化及び廃棄時の安全性の問題等が起きることがない。
【００５２】
また、携帯型のカード状の筐体内にＩＣカードＣとしての各構成部材が封入されているので、携帯可能なＩＣカードＣにおいて表示用データの生成及び送信等の処理を行うことができる。
【００５３】
更に、ＩＣカードＣ内での処理により生成される表示用データの内容を、外部の表示端末ＤＰにおいて即時に確認することができる。
【００５４】
更にまた、表示端末ＤＰへの表示用データの送信結果をリーダ／ライタＲＷに送信して告知させるので、ＩＣカードＣ自体にディスプレイ等を備えることなく、表示用データの送信結果を迅速に告知することができる。
【００５５】
なお上述した実施形態において、表示用データを暗号化して表示端末ＤＰに送信するように構成すれば、表示用データが意図せず漏洩することを防止できる。
【００５６】
また上述した実施形態では、表示端末ＤＰにおいて視覚的に表示用データを表示する構成としたが、これ以外に、音声等により表示用データの内容を告知するように構成することもできる。
【００５７】
更に上述した実施形態では、リーダ／ライタＬＲ、ＩＣカードＣ及び表示端末ＤＰを含む情報処理システムＳに対して本発明を適用したが、これ以外に例えば、一枚のＩＣカードに記憶されているデータを、当該ＩＣカードに無線で接続された複数の携帯型のゲーム機で共有することにより各ゲーム機における設定が変更されるようなゲームシステムに対して本発明を適用することもできる。この場合、例えば第１のゲーム機におけるゲーム環境やゲーム結果を示すデータをＩＣカードに送信し、それを所定の閾値時間内に第２のゲーム機に転送するようにすれば、リアルタイムで娯楽性に富んだゲームを各ゲーム機において楽しむことができるようになる。
【００５８】
更に、図３に示したフローチャートに対応するプログラムを、光ディスク等の記録媒体に記録しておき、或いはインターネット等のネットワークを介して取得して記録しておき、それらを汎用のマイクロコンピュータ等により読み出して実行することにより、当該マイクロコンピュータ等を、実施形態に係る制御部１１又は制御部３１として機能させることも可能である。
【産業上の利用可能性】
【００５９】
以上夫々説明したように、本発明は情報処理システムの分野に利用することが可能であり、特に簡易な構造のカード状の情報処理装置内のデータを外部の別の装置を用いて告知する情報処理システムの分野に適用すれば特に顕著な効果が得られる。
【符号の説明】
【００６０】
１１、２１、３１    制御部
２０    第１送受信部
２２    第２送受信部
１０、３０    送受信部
１２、２３、３２    メモリ部
３３    操作部
１００、１０１、１０２    表示
Ｓ    情報処理システム
Ｃ    ＩＣカード
Ｄ    表示部
ＡＴ、ＡＴ１、ＡＴ２、ＴＰ    アンテナ
ＲＷ    リーダ／ライタ
ＤＰ    表示端末
【図１】
2014132423.tif 000003
【図２】
2014132423.tif 000004
【図３】
2014132423.tif 000005
【図４】
2014132423.tif 000006